(57)【要約】【課題】  任意の締め付け停止位置にてネジ体を座金に係合させ、完全なネジ体の緩み止めを得ることができ、かつ、座金のネジ体からの抜け落ちを防止する。【解決手段】  頭部２１付きネジ体２とネジ体２の挿通孔３１を有する座金３とを備え、ネジ体２における頭部３の下部に３個の弾性をもった突起部２２を設けると共に、座金３における上面で、突起部２２の回転軌跡上に突起部２２と嵌合する多数の嵌合溝３２を設けて、ネジ体２の任意の締め付け停止位置にて突起部２２と嵌合溝３２とが嵌合することにより緩み止めする。座金３の挿通孔３１近くにおける内面に、その一部をカシメにより縮径させて座金３へのネジ体２の挿通時ネジ体２からの座金３の外れ落ちを阻止する膨出部３３を設けた。【選択図】図１
0003139226.tif 000002
【実用新案登録請求の範囲】
【請求項１】
頭部付きネジ体とネジ体の挿通孔を有する座金とを備え、ネジ体における頭部の下部に１個以上の弾性をもった突起部を設けると共に、座金における上面で、上記突起部の回転軌跡上に該突起部と嵌合する多数の嵌合溝を設けて、ネジ体の任意の締め付け停止位置にて上記突起部と嵌合溝とが嵌合することにより緩み止めする一方、座金の挿通孔近くにおける内面に、その一部をカシメにより縮径させて座金へのネジ体の挿通時ネジ体からの座金の外れを阻止する膨出部を設けていることを特徴とする緩み止めネジ機構。
【請求項２】
座金の底面に、締結時締結物に食い込んで座金の回転を阻止する係合凸起物を１個以上設けたことを特徴とする請求項１に記載の緩み止めネジ機構。
【請求項３】
電線端子の結合に用いる場合、Ｕ字状のリード線端子の挿通を許す空間部を備えるように平面視がコ字状で側面視がＺ字状の座金とネジを持ち上げる屈曲バネを備えていることを特徴とする請求項１に記載の緩み止めネジ機構。
【考案の詳細な説明】
【技術分野】
【０００１】  本考案は、締結物を固定側部材に締結する際に用いる頭部付きネジ体とネジの挿通孔を有する座金とを備えた緩み止めネジ機構に関する。
【技術背景】
【０００２】  従来、この種の緩み止めネジ機構としては、締結物を固定側部材に締結する際に用いる頭部付きネジ体とネジ体の挿通孔を有する座金とを備えた構成となっている。そして、ネジ体の締結時、ネジ体の下面で座金を締結物に押し付け、その圧接抵抗だけで緩み止めを行うようにしている。
【考案の開示】
【考案が解決しようとする課題】
【０００３】
【０００４】  ところで、上記したネジ体と座金とからなる緩み止めネジ機構のように、ネジ体の下面で座金を締結物に押し付け、その圧接抵抗だけで緩み止めを行うようにしたものでは、振動や何らかの外力がかかった場合に緩みが発生し易いものであった。特に、近年の配電盤においては、数百個の配線の端子がネジ体にて締結されており、その際ネジ体の緩み発生で端子不良を１〜２個発生させても高価な設備が停止するといった大きな問題を有していた。【０００５】  そこで、本考案は任意の締め付け停止位置にてネジ体を座金に係合させ、完全なネジ体の緩み止めを得ることができ、その上、締結作業時において座金のネジ体からの抜け落ちを防止できる緩み止めネジ機構の提供を課題とする。
【課題を解決するための手段】
【０００６】  上記問題を解決するため、本願の請求項１に記載の考案は、頭部付きネジ体とネジ体の挿通孔を有する座金とを備え、ネジ体における頭部の下部に１個以上の弾性をもった突起部を設けると共に、座金における上面で、上記突起部の回転軌跡上に該突起部と嵌合する多数の嵌合溝を設けて、ネジ体の任意の締め付け停止位置にて上記突起部と嵌合溝とが嵌合することにより緩み止めする一方、座金の挿通孔近くにおける内面に、その一部をカシメにより縮径させて座金へのネジ体の挿通時ネジ体からの座金の外れを阻止する膨出部を設けていることを特徴とする。【０００７】  また、本願の請求項２に記載の考案は、請求項１に記載の構成に加えて、座金の底面に、締結時締結物に食い込んで座金の回転を阻止する係合凸起物を１個以上設けたことを特徴とする。【０００８】  電線端子の結合に用いる場合、Ｕ字状のリード線端子の挿通を許す空間部を備えるように平面視がコ字状で側面視がＺ字状の座金とネジを持ち上げる屈曲バネを備えていることを特徴とする。
【考案の効果】
【０００９】  上記した構成によれば、頭部付きネジ体とネジの挿通孔を有する座金とを備え、ネジ体における頭部の下部に１個以上の弾性をもった突起部を設けると共に、座金における上面で、上記突起部の回転軌跡上に該突起部と嵌合する多数の嵌合溝を設けているので、ネジ体の任意の締め付け停止位置にて上記突起部と嵌合溝とが嵌合することにより完全なネジ体の緩み止めを得ることができる。また、座金の挿通孔近くにおける内面に、その一部をカシメにより縮径させて座金へのネジ体の挿通時ネジ体からの座金の外れを阻止する膨出部を設けるようにしているので、座金のネジ体からの抜け落ちを防止することができる。【００１０】  また、座金の底面に、締結時締結物に食い込んで座金の回転を阻止する係合凸起物を１個以上設けるようにすれば、締結物に対する座金の回転を阻止できるのでこのましい。【００１１】  また、電線端子の結合に用いる場合、積極的にＵ字状のリード線端子の挿通を許す空間部を備えるように平面視がコ字状で側面視がＺ字状の座金とネジ体を持ち上げる屈曲バネを備えるようにすれば、ネジ体を緩めたとき、座金とネジ体を積極的に持ち上げて、Ｕ字状のリード線端子の差し込み或いは抜き取り動作をより一層楽に行うことができるのでこのましい。
【考案を実施するための最良の形態】
【００１２】  以下、本考案の実施の形態を図に基づいて説明する。【００１３】  図１〜図４は、本考案の緩み止めネジ機構を示し、この緩み止めネジ機構１は頭部２１付きネジ体２と、ネジ体２の挿通孔３１を有する多角形状（図では方形状）の座金３とを備えている。ネジ体２における頭部２１の下部に１個以上（図では３個）の弾性をもった突起部２２…２２を設けると共に、座金３における上面で、上記突起部２２の回転軌跡上に該突起部２２と嵌合する多数の嵌合溝３２…３２を設けて、ネジ体２の任意の締め付け停止位置にて上記突起部２２と嵌合溝３２とが嵌合することにより緩み止めするように構成されている。【００１４】  また、座金３の挿通孔３１近くにおける内面に、その一部をカシメにより縮径させて座金３へのネジ体２の挿通時ネジ体２からの座金３の外れを阻止する膨出部３３を設けている。具体的には、図４に示すように座金３の挿通孔３１近くに複数個（図では４個）の凹凸部３３ａ…３３ａを設けておき、座金３をネジ体２のネジ部の最奥部に挿通させた状態で、凹凸部３３ａ…３３ａの裏側凸部分をカシメることにより、凹凸部３３ａ…３３ａを縮径させて内方へ膨出する膨出部３３を形成するようにしている。【００１５】  また、締結物４に対して座金３の回転が固定されない場合には、図１および図４において仮想線で示すように座金３の底面に、締結時締結物４に食い込んで座金３の回転を阻止する係合凸起物３４を１個以上（図では４個）突設するのである。【００１６】  さらに、ネジ体２のネジ部２ａにおける先端中心部には拡大用の凹所２ｂが設けられ、この凹所２ｂ部分を適宜治具で拡大することにより、ネジ部２ａにネジ込んだメネジ部材のネジ体２ａからの抜け止めとが行える構造となっている。【００１７】  図５中、符号５は締結物４を取り付ける固定側部材であり、また、６はネジ体２のネジ部２ａに螺合するナットである。【００１８】  次に、上記した緩み止めネジ機構の作用について説明する。
使用に際し、先ず、ネジ体２に座金３をその挿通孔３１を介して挿通させたうえで、座金３の底面の挿通孔３１近くに設けた凹凸部３３ａをカシメにより縮径させて膨出部３３を形成し、この膨出部３３により座金３をネジ体２に抜け落ち不能に取り付ける。次に、図５に示すように固定側部材５の取付孔５ａに締結物４の取付孔４ａを一致させ、その状態で、両取付孔４ａ，５ａに、座金３を取り付けたネジ体２を差し込み、その先端ネジ部２ａをナット６に螺合させて固定側部材５に締結物４を締め付けて固定する。【００１９】  斯かる締め付け固定によれば、ネジ体２の任意の締め付け回転位置にてネジ体２の突起部２２と座金３の嵌合溝３２とが嵌合することになり、これにより完全なネジ体２の緩み止めを得ることができる。また、座金３の底面の挿通孔３１近くをカシメにより縮径させて膨出部３３を形成し、この膨出部３３により座金３のネジ体２からの抜け落ちを防止しているので、締め付け作業を容易に行うことができる。その上、締め付け時、座金３の底面に設けた係合凸起物３４が締結物４に食い込んで座金３の回転を阻止することができ、ネジ体２の締め付け操作が容易に行える。【００２０】  また、図６〜図８は上記した緩み止めネジ機構１を配電盤１０の配線における端子締結ネジとして適用したものを示す。ここで配電盤１０は、区画壁１１…１１により方形状を呈する多数の端子締結用区画室１２…１２が形成され、その区画室１２の中央に通電部材からなりメネジ部１３ａをもつメネジ部材１３が固設されている。一方、座金３は方形状（多角形状）とすることにより区画室１２の区画壁１１に当接して回り止めされるようになっている。この場合、座金３の底面に設けられる前述の係合凸起物３４は不要となる。【００２１】  そして、使用に際しては、先ず、ネジ体２に座金３をその挿通孔３１を介して挿通させたうえで、座金３の底面の挿通孔３１近くに設けた凹凸部３３ａをカシメにより縮径させて膨出部３３を形成し、この膨出部３３により座金３をネジ体２に抜け落ち不能に取り付ける。次に、図７に示すようにネジ体２のネジ部２ａをメネジ部材１３に途中まで螺装し、そのネジ部２ａにおける先端中心部の凹所２ｂ部分を適宜治具で拡大する。これにより、ネジ体２ａのメネジ部材１３からの抜け止めを行う。その後、図７において仮想線で示すようにＵ字状のリード線端子１４をメネジ部材１３と座金３間におけるネジ部２ａに差し込む。然る後、ネジ体２をメネジ部材１３側にねじ込むことにより、図８に示すようにＵ字状のリード線端子１４をメネジ部材１３と座金３との間に締め付けて固定する。【００２２】  斯かる締結作業においても、先の実施の形態の場合と同様、ネジ体２の任意の締め付け回転位置にてネジ体２の突起部２２と座金３の嵌合溝３２とが嵌合することになる。これにより完全なネジ体２の緩み止めを得ることができる。また、座金３の底面の挿通孔３１近くをカシメにより縮径させて膨出部３３を形成し、この膨出部３３により座金３のネジ体２からの抜け落ちを防止しているので、締め付け作業を容易に行うことができる。さらに、方形状の座金３を用いることにより、その側面部が区画室１２の区画壁１３に当接して回り止めされることに���る。その上、ネジ部２ａにおける先端中心部の凹所２ｂ部分を適宜治具で拡大することによりネジ体２ａのメネジ部材１３からの抜け止めも行なえる。【００２３】  また、図９及び図１０に示すように、緩み止めネジ機構１を配電盤１０の配線における端子締結ネジとして適用する場合、ネジ体２と座金３を上方に付勢する屈曲バネ１５を備えるようにしてもよい。【００２４】  この屈曲バネ１５はＵ字状のリード線端子１４の挿通を許す空間部を備えるように平面視がコ字状で側面視がＺ字状を呈している。【００２５】  そして、この屈曲バネ１５を用いることにより、ネジ体２を緩めたとき、座金３とネジ体２をメネジ部材１３に対し積極的に持ち上げて、Ｕ字状のリード線端子１４の差し込み或いは抜き取り動作をより一層楽に行うことができる。
【図面の簡単な説明】
【００２６】
【図１】  本考案に係る緩み止めネジ機構の一部切り欠き正面図である。
【図２】  同緩み止めネジ機構におけるネジ体の平面図である。
【図３】  同緩み止めネジ機構における座金の平面図である。
【図４】  図座金の縦断側面図である。
【図５】  同緩み止めネジ機構の使用状態を示す縦断面図である。
【図６】  電線端子の結合に用いた場合の使用状態を示す斜視図である。
【図７】  同結合途中の縦断面図である。
【図８】  同最終結合状態を示す縦断面図である。
【図９】  屈曲バネを用いた別の実施の形態を示す斜視図である。
【図１０】  同屈曲バネの斜視図である。
【符号の説明】
【００２７】２        ネジ体
３        座金
４        締結物
１５      屈曲バネ
２１      頭部
２２      突起部
３１      挿通孔
３２      嵌合溝
３４      係合凸起物
【図１】
0003139226.tif 000003
【図２】
0003139226.tif 000004
【図３】
0003139226.tif 000005
【図４】
0003139226.tif 000006
【図５】
0003139226.tif 000007
【図６】
0003139226.tif 000008
【図７】
0003139226.tif 000009
【図８】
0003139226.tif 000010
【図９】
0003139226.tif 000011
【図１０】
0003139226.tif 000012